(57)【要約】      （修正有）【課題】バッグなどの人造皮革製品のデザイン性を向上させることを目的とする。【解決手段】人造皮革素材１０は、電子ペーパ１１と、電子ペーパ１１の外側に設けられる透明な表皮材１２と、を備え、電子ペーパ１１は、３原色のうち第１の色に変化可能な第１エレクトロミック層１１Ａと、３原色のうち第２の色に変化可能な第２エレクトロミック層１１Ｂと、第１エレクトロミック層１１Ａおよび第２エレクトロミック層１１Ｂの内側に配置され、光を反射する反射層１１Ｄと、を有し、表皮材１２は、複数の凸部Ｃを有する。【選択図】図２
2018187106.tif 000002
【特許請求の範囲】
【請求項１】
電子ペーパと、
前記電子ペーパの外側に設けられる透明な表皮材と、を備える人造皮革素材であって、
前記表皮材は、複数の凸部を有することを特徴とする人造皮革素材。
【請求項２】
前記複数の凸部は、革模様を構成することを特徴とする請求項１に記載の人造皮革素材。
【請求項３】
前記複数の凸部は、
第１凸部と、
前記第１凸部とは形状が異なる第２凸部とを含むことを特徴とする請求項１または請求項２に記載の人造皮革素材。
【請求項４】
前記第２凸部の表面積は、前記第１凸部の表面積よりも大きいことを特徴とする請求項３に記載の人造皮革素材。
【請求項５】
前記第２凸部の表面積は、前記第１凸部の表面積の２倍以上の大きさであることを特徴とする請求項４に記載の人造皮革素材。
【請求項６】
前記凸部は、革模様を構成する模様を有していることを特徴とする請求項１から請求項５のいずれか１項に記載の人造皮革素材。
【請求項７】
複数の凸部の間の溝は、色を有していることを特徴とする請求項１から請求項６のいずれか１項に記載の人造皮革素材。
【請求項８】
前記電子ペーパは、
３原色のうち第１の色に変化可能な第１エレクトロミック層と、
３原色のうち第２の色に変化可能な第２エレクトロミック層と、
前記第１エレクトロミック層および前記第２エレクトロミック層の内側に配置され、光を反射する反射層と、を有することを特徴とする請求項１から請求項６のいずれか１項に記載の人造皮革素材。
【請求項９】
前記電子ペーパは、
３原色のうち第３の色に変化可能な第３エレクトロミック層を有することを特徴とする請求項８に記載の人造皮革素材。
【請求項１０】
前記電子ペーパの内側に配置され、前記電子ペーパおよび前記表皮材を支持する基材を備えることを特徴とする請求項１から請求項９のいずれか１項に記載の人造皮革素材。
【請求項１１】
請求項１から請求項１０のいずれか１項に記載の人造皮革素材を備えたことを特徴とする人造皮革製品。
【発明の詳細な説明】
【技術分野】
【０００１】
本発明は、財布や鞄などの人造皮革製品および当該人造皮革製品の素材として使用される人造皮革素材に関する。
【背景技術】
【０００２】
従来、外表面にフレキシブルなディスプレイが設けられたバッグが知られている（特許文献１参照）。
【先行技術文献】
【特許文献】
【０００３】
【特許文献１】特開２０１１−１０７６６号公報
【発明の概要】
【発明が解決しようとする課題】
【０００４】
しかしながら、従来技術のような外表面にディスプレイを設けたバッグでは、バッグ全体の印象が野暮ったくなってしまい、デザイン性に乏しいという問題がある。特に、革製のバッグに使い慣れたユーザについては、ディスプレイの平滑な表面に対して違和感を覚えてしまう問題もある。
【０００５】
そこで、本発明は、バッグなどの人造皮革製品のデザイン性を向上させることを目的とする。
【課題を解決するための手段】
【０００６】
前記課題を解決するため、本発明に係る人造皮革素材は、電子ペーパと、前記電子ペーパの外側に設けられる透明な表皮材と、を備える。
前記表皮材は、複数の凸部を有する。
【０００７】
この構成によれば、電子ペーパ上に表示する画像を、複数の凸部を有する透明な表皮材を通して外部に表示させることができるので、例えば複数の凸部を有する革模様などを、画像と凸部によって表現することができる。そのため、この人造皮革素材を用いて人造皮革製品を作ることで、人造皮革製品のデザイン性を向上させることができる。
【０００８】
また、前記複数の凸部は、革模様を構成していてもよい。
【０００９】
これによれば、この人造皮革素材によって、ユーザに馴染みのある革製品に模した人造皮革製品を作ることができる。
【００１０】
また、前記複数の凸部は、第１凸部と、前記第１凸部とは形状が異なる第２凸部とを含んでいてもよい。
【００１１】
これによれば、第１凸部と第２凸部の形状を異ならせることで、表皮材を、本物の革により似せることができる。
【００１２】
また、前記第２凸部の表面積は、前記第１凸部の表面積よりも大きくてもよい。例えば、前記第２凸部の表面積は、前記第１凸部の表面積の２倍以上の大きさとすることができる。
【００１３】
これによれば、第１凸部と第２凸部の表面積を異ならせることで、表皮材を、本物の革により似せることができる。
【００１４】
また、前記凸部は、革模様を構成する模様を有していてもよい。
【００１５】
通常、革は、なめしや染色の過程などにおいて、複数の凸部に革独特の模様ができる。そのため、透明な表皮材の凸部に、このような革独特の模様を設けることで、表皮材を、本物の革により似せることができる。
【００１６】
また、複数の凸部の間の溝は、色を有していてもよい。
【００１７】
通常、革は、なめしや染色の過程などにおいて、複数の凸部の間の溝が、凸部よりも薄い色、例えば白色となることがある。そのため、透明な表皮材の複数の凸部の間の溝に、色を付することで、表皮材を、本物の革により似せることができる。
【００１８】
また、前記電子ペーパは、３原色のうち第１の色に変化可能な第１エレクトロミック層と、３原色のうち第２の色に変化可能な第２エレクトロミック層と、前記第１エレクトロミック層および前記第２エレクトロミック層の内側に配置され、光を反射する反射層と、を有していてもよい。
【００１９】
これによれば、エレクトロミック層および反射層を用いた反射型表示技術によって、身の周りの光で色を表示することができるので、透明な表皮材を自然な色合いに色付けすることができ、表皮材を、本物の革により似せることができる。また、第１エレクトロミック層および第２エレクトロミック層の色を変化させることで、革模様を施された透明な表皮材を、第１の色、第２の色、第１の色と第２の色とを混色させた色に変化させることができる。そのため、ユーザが、ＴＰＯ（時、場所、場合）に応じて人造皮革製品の色を変更することができる。
【００２０】
また、前記電子ペーパは、３原色のうち第３の色に変化可能な第３エレクトロミック層を有していてもよい。
【００２１】
これによれば、３原色の組み合わせにより、革模様を施された透明な表皮材をより様々な色に変更することができる。
【００２２】
また、前記人造皮革素材は、前記電子ペーパの内側に配置され、前記電子ペーパおよび前記表皮材を支持する基材を備えていてもよい。
【００２３】
これによれば、人造皮革素材の強度を高くすることができる。
【００２４】
また、本発明に係る人造皮革製品は、前述した人造皮革素材を備えている。
【００２５】
これによれば、前述したように、人造皮革製品のデザイン性を向上させることができる。
【発明の効果】
【００２６】
本発明によれば、人造皮革製品のデザイン性を向上させることができる。
【図面の簡単な説明】
【００２７】
【図１】本発明の一実施形態に係る鞄を示す斜視図である。
【図２】人造皮革素材を分解して示す斜視図である。
【図３】表皮材を拡大して示す拡大図である。
【発明を実施するための形態】
【００２８】
次に、本発明の実施形態について、適宜図面を参照しながら詳細に説明する。
図１に示すように、人造皮革製品の一例としての鞄１は、マチ付きの鞄であり、前面部２と、後面部３と、前面部２および後面部の左右の端部を繋ぐ左右の側面部４と、前面部２、後面部３および左右の側面部４の下端を繋ぐ底面部５と、２つの把手６とを備えている。前面部２および後面部３は、動物の皮からなる本物の革に模した人造皮革素材１０で構成されている。
【００２９】
なお、左右の側面部４、底面部５および把手６は、人造皮革素材１０で構成してもよいし、合成皮革や本物の革などで構成してもよい。また、底面部５には、鞄の底部の底面形状を保つための底板を設けてもよい。
【００３０】
図２に示すように、人造皮革素材１０は、電子ペーパ１１と、電子ペーパ１１の外側に設けられる透明な表皮材１２と、電子ペーパ１１の内側に配置される基材１３と、を備えている。ここで、内側とは、鞄１の表面にある表皮材１２から遠い側をいう。電子ペーパ１１は、第１エレクトロミック層１１Ａと、第２エレクトロミック層１１Ｂと、第３エレクトロミック層１１Ｃと、反射層１１Ｄと、を備えている。
【００３１】
エレクトロミック層１１Ａ〜１１Ｃは、電荷の授受による酸化還元反応で可逆的な色変化をする材料であるエレクトロミック化合物を含む層である。エレクトロミック層１１Ａ〜１１Ｃは、電圧の印加によって、透明な消色状態から発色した発色状態に変化可能となっている。
【００３２】
第１エレクトロミック層１１Ａは、３原色のうち第１の色（例えばマゼンタ）に変化可能なエレクトロミック層である。第２エレクトロミック層１１Ｂは、３原色のうち第２の色（例えばイエロー）に変化可能なエレクトロミック層であり、第１エレクトロミック層１１Ａの内側に配置されている。第３エレクトロミック層１１Ｃは、３原色のうち第３の色（例えばシアン）に変化可能な層であり、第２エレクトロミック層１１Ｂの内側に配置されている。
【００３３】
反射層１１Ｄは、３層のエレクトロミック層１１Ａ〜１１Ｃを透過した光を反射する層であり、３層のエレクトロミック層１１Ａ〜１１Ｃのよりも内側、詳しくは第３エレクトロミック層１１Ｃの内側に配置されている。反射層１１Ｄの反射面は、例えば白色に着色されている。
【００３４】
詳しくは、第３エレクトロミック層１１Ｃは、図示せぬ透明な電極および絶縁層を介して反射層１１Ｄの外側に積層され、第２エレクトロミック層１１Ｂは、図示せぬ透明な電極および絶縁層を介して第３エレクトロミック層１１Ｃの外側に積層されている。また、第１エレクトロミック層１１Ａは、図示せぬ透明な電極および絶縁層を介して第２エレクトロミック層１１Ｂの外側に積層されている。
【００３５】
なお、電子ペーパ１１は、各層１１Ａ〜１１Ｄを挟み込む２枚の透明な基板などを備えていてもよい。また、電子ペーパ１１に、第３エレクトロミック層１１Ｃに対向する対向電極や、透明な電極と対向電極の間をイオン電導させる電解質や、対向電極を駆動する駆動部などを設けてもよい。
【００３６】
各エレクトロミック層１１Ａ〜１１Ｃは、制御装置２０に接続されている。制御装置２０は、ＣＰＵ、ＲＡＭ、ＲＯＭ、不揮発性メモリ、入出力回路、通信モジュール、バッテリなどを備えている。制御装置２０は、通信モジュールを介して携帯端末やパソコンなどから受信した信号に基づいて、各エレクトロミック層１１Ａ〜１１Ｃへの電圧の印加・停止を制御することで、電子ペーパ１１上に単色の画像を表示することが可能となっている。なお、制御装置２０を備えた制御基板２１は、例えば、鞄１の底面部５に配置することができる。
【００３７】
基材１３は、電子ペーパ１１および表皮材１２を支持する部材である。基材１３の材料としては、例えば、樹脂や合成皮革などを用いることができる。
【００３８】
表皮材１２は、革模様を構成する複数の凸部Ｃを有している。複数の凸部Ｃは、第１凸部Ｃ１と、第１凸部Ｃ１とは形状が異なる第２凸部Ｃ２とを含んでいる。第２凸部Ｃ２の表面積は、第１凸部Ｃ１の表面積の２倍以上の大きさとなっている。詳しくは、本実施形態では、第１凸部Ｃ１の表面積の４倍以上の大きさとなっている。
【００３９】
複数の凸部Ｃは、第１凸部Ｃ１および第２凸部Ｃ２の他にも、大小様々な凸部Ｃを有している。そして、これらの中には、２つの凸部Ｃのうち大きい方の表面積が、小さい方向の表面積の３倍以上のものもあれば、５倍以上のものもある。
【００４０】
複数の凸部Ｃは、鰐の腹部に相当する革模様を構成するように配置されている。詳しくは、表皮材１２の左右中央に大きめの凸部Ｃが密集して配置され、密集した大きめの凸部Ｃの集合体の左右方向外側に小さめの凸部Ｃが密集して配置されている。また、複数の凸部Ｃは、それぞれ微妙に形が違っている。言い換えると、複数の凸部Ｃに対する同じ形状の凸部Ｃの割合は、０〜２０％、好ましくは０〜１０％、より好ましくは０〜５％となっている。
【００４１】
以上のように構成される表皮材１２は、透明で柔軟な樹脂、例えばポリ塩化ビニルやポリウレタンなどのエナメル素材からなっている。ここで、表皮材１２の可視光の透過率の上限値は、例えば、１００％、９０％、または、８０％とすることができ、下限値は、例えば、５０％、６０％、または、７０％とすることができる。なお、透過率の範囲は、上記の上限値と下限値を任意に組み合わせて決定することができ、例えば、５０〜９０％とすることができる。また、表皮材１２の素材を透明なエナメル素材とした場合には、表皮材１２を、エナメル処理を施した革に似せることができる。
【００４２】
また、複数の凸部Ｃは、例えば、透明な樹脂の素材を型押しすることによって形成することができる。
【００４３】
図３に示すように、凸部Ｃには、図にドットのハッチングで示す模様Ｐが施されている。模様Ｐは、革模様を構成する模様である。詳しくは、模様Ｐは、動物の皮をなめしたり、染色したりする過程において自然に生じる革独特の模様である。この模様Ｐは、例えば動物の皮から製造した革の表面を撮影し、撮影したデータを画像処理することなどによって得ることができる。この模様Ｐは、例えば、斑点状、うろこ状の模様であったりする。
【００４４】
模様Ｐは、例えば適度な透過性を黒色ないし灰色の模様であり、所定の印刷機によって各凸部Ｃに印刷すればよい。なお、模様Ｐの印刷は、表皮材１２の素材を型押しする前に行えばよい。
【００４５】
また、複数の凸部Ｃの間の溝Ｇには、色が付されている。詳しくは、溝Ｇは、適度な透過性を有する白色ないし薄い灰色に着色されている。ここで、動物の皮をなめしたり、染色したりする過程において、革の複数の凸部の溝は、染まり難く、淡い色となることがある。そのため、上記のように溝Ｇを淡い色に着色することで、表皮材１２を本物の革に似せることが可能となる。なお、溝Ｇへの着色は、所定の印刷機によって行えばよく。この場合も、溝Ｇへの着色は、表皮材１２の素材を型押しする前に行えばよい。
【００４６】
次に、鞄１の使用方法について説明する。
図１に示すように、鞄１を赤色にしたい場合には、ユーザは、例えば携帯端末によって赤色を指示する信号を制御装置２０に送信する。これにより、制御装置２０は、マゼンタに対応した第１エレクトロミック層１１Ａに電圧を印加して、第１エレクトロミック層１１Ａを透明状態から赤色に発色した発色状態に変化させる。これにより、革を模した形状の透明の表皮材１２があたかも赤色に着色されたように外部から見えるので、ユーザは赤色の革の鞄１を持った気分で外出することができる。
【００４７】
また、鞄１を紫色にしたい場合には、ユーザは、例えば携帯端末によって紫色を指示する信号を制御装置２０に送信する。これにより、制御装置２０は、マゼンタに対応した第１エレクトロミック層１１Ａとシアンに対応した第３エレクトロミック層１１Ｃとに電圧を印加して、各エレクトロミック層１１Ａ，１１Ｃを透明状態から発色状態に変化させる。これにより、革を模した形状の透明の表皮材１２があたかも紫色に着色されたように外部から見えるので、ユーザは紫色の革の鞄１を持った気分で外出することができる。
【００４８】
以上、本実施形態によれば、以下のような効果を得ることができる。
電子ペーパ１１上に表示する画像を、複数の凸部Ｃを有する透明な表皮材１２を通して外部に表示させることができるので、画像と凸部Ｃによって様々な色の革模様を表現することができる。そのため、鞄１のデザイン性を向上させることができる。
【００４９】
第１凸部Ｃ１と第２凸部Ｃ２の形状・表面積が異なるので、表皮材１２を、本物の革に似せることができる。
【００５０】
透明な表皮材１２の凸部Ｃに革独特の模様Ｐを施すとともに、複数の凸部Ｃの間の溝Ｇに淡い色を付したので、表皮材１２を本物の革により似せることができる。
【００５１】
エレクトロミック層１１Ａ〜１１Ｃおよび反射層１１Ｄを用いた反射型表示技術によって、身の周りの光で色を表示することができるので、透明な表皮材１２を自然な色合いに色付けすることができ、表皮材１２を本物の革により似せることができる。また、３種類のエレクトロミック層１１Ａ〜１１Ｃの色を変化させることで、革模様を施された透明な表皮材１２を、３原色の組み合わせにより様々な色に変更することができる。そのため、ユーザが、ＴＰＯ（時、場所、場合）に応じて鞄１の色を変更することができる。
【００５２】
人造皮革素材１０が、電子ペーパ１１および表皮材１２を支持する基材１３を備えるので、人造皮革素材１０の強度を高くすることができる。
【００５３】
なお、本発明は前記実施形態に限定されることなく、以下に例示するように様々な形態で利用できる。
前記実施形態では、凸部Ｃや溝Ｇに模様Ｐや色を施したが、本発明はこれに限定されず、凸部や溝に模様や色を施さなくてもよい、つまり凸部や溝を透明な状態のままにしておいてもよい。なお、この場合、例えば、電子ペーパによって、凸部に対応した位置に模様の画像を表示したり、溝に対応した位置に色を表示してもよい。
【００５４】
前記実施形態では、人造皮革製品として鞄１を例示したが、本発明はこれに限定されず、人造皮革製品は、例えば財布、靴、名刺入れなどであってもよい。また、前記実施形態では、マチありの鞄１を例示したが、本発明はこれに限定されず、マチ無しの鞄であってもよい。
【００５５】
前記実施形態では、電子ペーパとしてエレクトロミック層１１Ａ〜１１Ｃを有する電子ペーパ１１を例示したが、本発明はこれに限定されず、電子ペーパは、例えば、コレステリック液晶、強誘電性液晶、エレクトロウエッティング、エレクトロデポジションなどを利用したものであってもよい。
【００５６】
前記実施形態では、革模様として鰐皮の模様を例示したが、本発明はこれに限定されず、革模様は、例えば、蛇皮の模様、オーストリッチの皮模様などであってもよい。
【００５７】
前記した実施形態および変形例で説明した各要素を、任意に組み合わせて実施してもよい。
【符号の説明】
【００５８】
１      鞄
１０    人造皮革素材
１１    電子ペーパ
１２    表皮材
Ｃ      凸部
【図１】
2018187106.tif 000003
【図２】
2018187106.tif 000004
【図３】
2018187106.tif 000005